(57)【要約】【課題】介護者に負担をかけずに着用でき、車椅子ダンスが踊りやすい車椅子利用者用衣類であって、後ろから見たときにも見栄えが良く、かつ、トイレの使用を容易にする車椅子利用者用衣類を提供する。【解決手段】腰部から脚部までを覆う車椅子利用者用衣類１であって、臀部の位置に臀部を通す開口１１を有する。開口１１から裾１２まで切り開かれ、切り開かれた両側部分１３ａ，１３ｂに互いに着脱可能な留め具１４ａ，１４ｂを有する。両側部分１３ａ，１３ｂの開口１１に沿った上縁に自由端側を基端側に付勢する弾性部材１５ａ，１５ｂが設けられている。上縁に車椅子２の座部２１に取り付けるための取付部材１６を有する。腰部の位置の両側側部に通し穴を有する。通し穴を通って車椅子利用者を車椅子２の背凭れ部で支持するためのベルト２０を有する。【選択図】図１
2007016354.tif 000002
【特許請求の範囲】
【請求項１】
腰部から脚部までを覆う車椅子利用者用衣類であって、
臀部の位置に臀部を通す開口を有し、前記開口から裾まで切り開かれ、切り開かれた両側部分に互いに着脱可能な留め具を有することを、特徴とする車椅子利用者用衣類。
【請求項２】
前記両側部分の前記開口に沿った上縁に自由端側を基端側に付勢する弾性部材が設けられ、前記上縁に車椅子の座部に取り付けるための取付部材を有することを、特徴とする請求項１記載の車椅子利用者用衣類。
【請求項３】
腰部の位置の両側側部に通し穴を有し、前記通し穴を通って車椅子利用者を車椅子の背凭れ部で支持するためのベルトを有することを、特徴とする請求項１または２記載の車椅子利用者用衣類。
【発明の詳細な説明】
【技術分野】
【０００１】
本発明は、車椅子に乗ったまま着用可能な車椅子利用者用衣類に関する。
【背景技術】
【０００２】
近年、車椅子に乗ったままでダンスを踊る車椅子ダンス競技の人気が、高まりつつある。車椅子ダンスの競技者は、ダンス用ドレスを着用するが、車椅子に乗ったままでスカートを着用するには、介護者に抱え上げてもらって、車椅子の座部との間にスカートを通す必要があり、介護者に負担がかかるという問題があった。
【０００３】
そこで、ひざの上に飾りを乗せるだけの競技者もいるが、ダンス用ドレスを着用した場合に比べて見劣りがしてしまう。また、ダンス用ドレスを着用した場合でも、スカートをはいた状態で椅子に座ると、臀部のあたりで丈がとられ、後ろから見たとき、足元がスカートで覆われないという問題があった。
【０００４】
ダンス用ドレスは、車椅子ダンスの見栄えを良くする半面、踊りの邪魔になり、その上で臀部がすべりやすくなって転倒のおそれを増すという問題もあった。
さらに、ダンス用ドレスを着用した場合、トイレを使用する際に、ドレスの裾が長いため、便器の中に落ちるおそれがあり、トイレを使用しにくいという問題もあった。
【０００５】
ところで、従来の車椅子利用者用衣類として、着用者の肩から臑部分までを被覆可能な前身頃に対し、着用者の臀部の下に挟み込まないよう後身頃を短くしたものがある（例えば、特許文献１参照）。
【０００６】
【特許文献１】特開平８−９２８０５号公報
【発明の開示】
【発明が解決しようとする課題】
【０００７】
しかしながら、特許文献１記載の車椅子利用者用衣類では、ダンス用ドレスに仕立てたとしても、後ろから見たとき足元がスカートで覆われないという問題、トイレを使用しにくいという問題を解決することはできない。
【０００８】
本発明は、このような従来の課題に着目してなされたもので、介護者に負担をかけずに着用でき、車椅子ダンスが踊りやすい車椅子利用者用衣類であって、後ろから見たときにも見栄えが良く、かつ、トイレの使用を容易にする車椅子利用者用衣類を提供することを目的とする。
【課題を解決するための手段】
【０００９】
上記目的を達成するために、本発明に係る車椅子利用者用衣類は、腰部から脚部までを覆う車椅子利用者用衣類であって、臀部の位置に臀部を通す開口を有し、前記開口から裾まで切り開かれ、切り開かれた両側部分に互いに着脱可能な留め具を有することを、特徴とする。
【００１０】
本発明に係る車椅子利用者用衣類は、開口から裾まで切り開かれているので、着用するとき、座ったまま裾側を頭部から被るようにして着用することができる。切り開かれた両側部分を留め具で留めれば、脚部の後ろ側を覆うことができ、後ろから見たときにも見栄えを良くすることができる。トイレを使用する場合には、留め具を外し、切り開かれた両側部分で衣類の前側をくるみ、留め具で留めることにより、衣類の裾をまとめることができる。これにより、裾を便器の中に落としにくくなり、トイレの使用を容易にすることができる。
【００１１】
本発明に係る車椅子利用者用衣類は、着用するとき介護者に抱え上げてもらう必要がないので、介護者に負担をかけずに着用できる。また、開口を通して直接、車椅子の座部に臀部を乗せられるので、臀部がすべりにくく、それによる転倒のおそれを減らすことができる。
本発明に係る車椅子利用者用衣類で、留め具には、面ファスナー、フック、ボタンなど種々の留め具を用いることができるが、特に、スナップボタンが適している。開口の形状は、四角形のほか、円形、楕円形、その他いかなる形状であってもよい。
【００１２】
本発明に係る車椅子利用者用衣類では、前記両側部分の前記開口に沿った上縁に自由端側を基端側に付勢する弾性部材が設けられ、前記上縁に車椅子の座部に取り付けるための取付部材を有することが好ましい。
この構成では、弾性部材により両側部分の上縁の自由端側が基端側に付勢されているので、開口の下側が垂れ下がりにくい。さらに、上縁の取付部材を車椅子の座部に取り付けることにより、脚部の後ろ側が衣類で覆われ、後ろから見たときにも見栄えを良くすることができる。弾性部材は、ゴム紐またはゴム帯から成ることが好ましい。
【００１３】
本発明に係る車椅子利用者用衣類では、腰部の位置の両側側部に通し穴を有し、前記通し穴を通って車椅子利用者を車椅子の背凭れ部で支持するためのベルトを有することが好ましい。
この構成では、ベルトにより車椅子利用者を車椅子の背凭れ部で支持することにより、車椅子ダンスを踊るとき、利用者を車椅子から落ちにくくすることができる。ベルトは、通し穴を通るので、正面側から見えにくく、見栄えを保つことができる。
【００１４】
なお、本発明に係る車椅子利用者用衣類は、腰部から脚部までを覆う衣類から成るが、スカート、ワンピース、コートなど、両足が共に裾で覆われる衣類に適しており、特に、車椅子ダンス用スカートに適している。本発明に係る車椅子利用者用衣類で、開口から上側部分も、上端部まで切り開かれ、切り開かれたその両側部分に互いに着脱可能な留め具を有することが好ましい。この場合、着用するとき、裾側を頭部から被るようにしなくても、座ったまま前側から着用することができる。
【発明の効果】
【００１５】
本発明によれば、介護者に負担をかけずに着用でき、車椅子ダンスが踊りやすい車椅子利用者用衣類であって、後ろから見たときにも見栄えが良く、かつ、トイレの使用を容易にする車椅子利用者用衣類を提供することができる。
【発明を実施するための最良の形態】
【００１６】
以下、図面に基づき本発明の実施の形態について説明する。
図１乃至図４は、本発明の実施の形態の車椅子利用者用衣類を示している。
車椅子利用者用衣類１は、図１（Ａ）に示すように、全体にひだが付いたツーピースドレスのスカートから成っている。車椅子利用者用衣類１は、生地の一部が２重となって複数段のフリルを有し、着用者Ａの腰部から脚部までを覆う長さを有している。図１（Ｂ）に示すように、車椅子利用者用衣類１は、臀部の位置に臀部を通す四角形の開口１１を有している。図１（Ｂ），（Ｃ）に示すように、車椅子利用者用衣類１は、開口１１の下側中央部から裾１２まで切り開かれ、切り開かれた両側部分１３ａ，１３ｂに互いに着脱可能な留め具１４ａ，１４ｂを有している。留め具１４ａ，１４ｂは、スナップボタンのオス側とメス側とから成り、面ファスナーに比べて、着用者Ａのストッキングを傷付けにくくなっている。留め具１４ａ，１４ｂは、両側部分１３ａ，１３ｂの端部に沿って丈方向に間隔をあけて複数、取り付けられている。留め具１４ａ，１４ｂは、図１（Ｅ），（Ｆ）に示すように、前側でも後ろ側でも留めることができる。
【００１７】
両側部分１３ａ，１３ｂの開口１１に沿った上縁には、自由端側１１ａを基端側１１ｂに付勢する弾性部材１５ａ，１５ｂが設けられている。弾性部材１５ａ，１５ｂは、ゴム帯から成り、上縁全体に縫い付けられている。図１（Ｂ）〜（Ｄ）に示すように、上縁には、車椅子２の座部２１に取り付けるための取付部材（アタッチメント）１６が取り付けられている。
【００１８】
開口１１から上側部分も、開口１１の上側中央部から上端部１７まで切り開かれ、切り開かれたその両側部分１８ａ，１８ｂの上端に互いに着脱可能な留め具１９を有している。留め具１９は、面ファスナーのオス側とメス側とから成り、重なる長さを調節して両側部分１８ａ，１８ｂの上端をしっかりと貼り合わせるようになっている。上端部１７には、その内縁部全体に弾性部材１７ａが縫い付けられ、腰部にフィットするようになっている。弾性部材１７ａは、ゴム帯から成っている。また、図３（Ｂ）に示すように、車椅子利用者用衣類１は、車椅子２の車輪２２に巻込まれないように脇１ａがカットしてある。
【００１９】
図３（Ａ），（Ｂ）に示すように、車椅子利用者用衣類１は、腰部の位置の両側側部に通し穴１ｂを有している。車椅子利用者用衣類１は、通し穴１ｂを通って車椅子利用者（着用者）を車椅子２の背凭れ部２３で支持するためのベルト２０を有している。また、車椅子利用者用衣類１の裾１２の両脇部分には、スリット１ｃが形成されている。足を車椅子２に足固定ベルトで固定したとき、スリット１ｃに足固定ベルトを通すことにより、車椅子利用者用衣類１の裾１２で足固定ベルトを覆い隠すことができる。
【００２０】
次に、作用について説明する。
車椅子利用者用衣類１は、開口１１の上側部分は上端部１７まで切り開かれ、下側部分も裾１２まで切り開かれているので、着用するとき、図２に示すように開いた状態で、座ったまま前側から腰部に当て、着用することができる。上側の両側部分１８ａ，１８ｂを着用者Ａの背中側で留め具１９により調節して留め、下側の両側部分１３ａ，１３ｂを脚部の後ろ側で留め具１４ａ，１４ｂにより留める。この状態で、弾性部材１５ａ，１５ｂにより両側部分１３ａ，１３ｂの上縁の自由端側１１ａが基端側１１ｂに付勢されているので、開口１１の下側が垂れ下がりにくくなっている。
【００２１】
さらに、上縁の取付部材１６を車椅子２の座部２１に取り付けることにより、脚部の後ろ側が両側部分１３ａ，１３ｂできれいに覆われ、後ろから見たときにも見栄えを良くすることができる。車椅子利用者用衣類１の裾１２が長い場合でも、取付部材１６を座部２１に取り付けることにより、裾１２を車椅子２の車輪２２に巻き込まれにくくすることができる。また、上側の両側部分１８ａ，１８ｂを着用者Ａの背中側で留めた状態で、裾１２側を頭部から被るようにして着用することもできる。
【００２２】
さらに、図３（Ａ）に示すように、ベルト２０を着用者Ａの前に通し、通し穴１ｂから外側に出して車椅子２の背凭れ部２３の後ろ側で結わえる。ベルト２０により車椅子利用者を車椅子２の背凭れ部２３で支持することにより、車椅子ダンスを踊るとき、着用者Ａを車椅子２から落ちにくくすることができる。ベルト２０は、通し穴１ｂを通るので、正面側から見えにくく、見栄えを保つことができる。
【００２３】
トイレを使用する場合には、図４（Ａ）に示す状態から（Ｂ）に示す状態に、取付部材１６を座部２１から外すとともに留め具１４ａ，１４ｂを互いに外す。そして、図３（Ｂ），図４（Ｂ）に示すように、切り開かれた両側部分１３ａ，１３ｂでドレスの前側の裾１２をくるみ、留め具１４ａ，１４ｂで留めることにより、ドレスの裾１２をまとめることができる。これにより、裾１２を便器の中に落としにくくなり、トイレの使用を容易にすることができる。
【００２４】
このように、車椅子利用者用衣類１は、着用するとき介護者に抱え上げてもらう必要がなく、車椅子２に座ったまま自分だけで容易に着脱できるので、介護者に負担をかけずに着用できる。また、脚部の後ろ側がきれいに覆われ、後ろから見たときにも自然で見栄えが良い。さらに、開口１１を通して直接、車椅子２の座部２１に臀部を乗せられるので、衣類のもたつきがないうえ、臀部がすべりにくく、それによる転倒のおそれを減らすことができる。車椅子利用者用衣類１の脇１ａは、カットされているので、車椅子２の車輪２２に巻込まれないようになっている。
【００２５】
車椅子利用者用衣類１により、車椅子利用者は、ハンディを感じることなく、きれいなダンス用ドレスを着用して、健常者とともに楽しく車椅子ダンスを踊ることができ、車椅子利用者用衣類１は、車椅子ダンス競技の人気をさらに高め、車椅子利用者の健康増進に貢献することができる。なお、車椅子利用者用衣類１は、車椅子ダンス競技以外でも、パーティードレスや外出着などに利用することができる。
【図面の簡単な説明】
【００２６】
【図１】本発明の実施の形態の車椅子利用者用衣類の（Ａ）正面図、（Ｂ）背面図、（Ｃ）取付部材を車椅子の座部に取り付けた状態を示す斜視図、（Ｄ）裾の両側部分を示す背面図、（Ｅ）両側部分の留め具を前側で留めた状態を示す正面図、（Ｆ）その背面図である。
【図２】図１に示す車椅子利用者用衣類を開いた状態の正面図である。
【図３】図１に示す車椅子利用者用衣類を（Ａ）着用して車椅子に座った状態の背面側斜視図、（Ｂ）着用して両側部分の留め具を前側で留め、立った状態の側面図である。
【図４】図１に示す車椅子利用者用衣類を（Ａ）着用して車椅子に座った状態の側面図、（Ｂ）着用して両側部分の留め具を前側で留め、座った状態の側面図である。
【符号の説明】
【００２７】
１    車椅子利用者用衣類
２  車椅子
１１  開口
１２  裾
１３ａ，１３ｂ  両側部分
１４ａ，１４ｂ  留め具
１５ａ，１５ｂ  弾性部材
１６  取付部材
１７  上端部
１８ａ，１８ｂ  両側部分
１９  留め具
２０  ベルト
２１  座部
【図１】
2007016354.tif 000003
【図２】
2007016354.tif 000004
【図３】
2007016354.tif 000005
【図４】
2007016354.tif 000006
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
腰部から脚部までを覆う車椅子利用者用衣類であって、
臀部の位置に臀部を通す開口を有し、前記開口から裾まで切り開かれ、切り開かれた両側部分に互いに着脱可能な留め具を有し、前記両側部分の前記開口に沿った上縁に車椅子の座部に取り付けるための取付部材を有することを、特徴とする車椅子利用者用衣類。
【請求項２】
前記上縁に自由端側を基端側に付勢する弾性部材が設けられていることを、特徴とする請求項１記載の車椅子利用者用衣類。
【請求項３】
腰部の位置の両側側部に通し穴を有し、前記通し穴を通って車椅子利用者を車椅子の背凭れ部で支持するためのベルトを有することを、特徴とする請求項１または２記載の車椅子利用者用衣類。
【手続補正２】
【補正対象書類名】明細書
【補正対象項目名】０００９
【補正方法】変更
【補正の内容】
【０００９】
上記目的を達成するために、本発明に係る車椅子利用者用衣類は、腰部から脚部までを覆う車椅子利用者用衣類であって、
臀部の位置に臀部を通す開口を有し、前記開口から裾まで切り開かれ、切り開かれた両側部分に互いに着脱可能な留め具を有し、前記両側部分の前記開口に沿った上縁に車椅子の座部に取り付けるための取付部材を有することを、特徴とする。
【手続補正３】
【補正対象書類名】明細書
【補正対象項目名】００１２
【補正方法】変更
【補正の内容】
【００１２】
本発明に係る車椅子利用者用衣類では、上縁の取付部材を車椅子の座部に取り付けることにより、脚部の後ろ側が衣類で覆われ、後ろから見たときにも見栄えを良くすることができる。
本発明に係る車椅子利用者用衣類では、前記上縁に自由端側を基端側に付勢する弾性部材が設けられていることが好ましい。
この構成では、弾性部材により両側部分の上縁の自由端側が基端側に付勢されているので、開口の下側が垂れ下がりにくい。弾性部材は、ゴム紐またはゴム帯から成ることが好ましい。